(57)【要約】【課題】太陽光の照射角度に影響を受けることなく、建物の開口部の上階にバルコニーを有していたり、隣地に建物などの遮蔽物があったりしても、１階の居室内に太陽光を取り込むことができる建物の採光装置を提案する。【解決手段】建物の開口部９を有する壁面の屋外側のバルコニー底面部１２ａに、太陽光を透過拡散する折り畳み式の光透過拡散板２が、開口部９の上方側に垂直に取り付けられ、太陽光が光透過拡散板２を通して屋内へ取り込まれる採光装置により解決される。【選択図】    図１
2011163065.tif 000002
【特許請求の範囲】
【請求項１】
建物の開口部を有する壁面の屋外側に、太陽光を透過拡散する光透過拡散板が、開口部の上方側に垂直に取り付けられ、太陽光が前記光透過拡散板を通して屋内へ取り込まれることを特徴とする採光装置。
【請求項２】
前記採光装置が、開口部を有する階の上階に設けられたバルコニー底面部に取り付けられている請求項１に記載の採光装置。
【請求項３】
前記採光装置が折り畳み可能である請求項２に記載の採光装置。
【請求項４】
前記光透過拡散板の屋内側が鋸刃状となっている請求項１乃至３に記載の採光装置。
【請求項５】
前記光透過拡散板の屋内側に光を透過する平板が設けられている請求項４に記載の採光装置。
【発明の詳細な説明】
【技術分野】
【０００１】
本発明は、建物の開口部に設けられる採光装置に関する。
【背景技術】
【０００２】
建物の１階の居室は、リビングなど日中に人が滞在する部屋として使用されるため、建物の１階の居室への太陽光の取り込みは、重要な設計課題であり、外部に対して開口部を設け、太陽光を取り込むように設計されている。
【０００３】
そこで、例えば図４に示すような、開口部の上側から屋外側に水平に張り出した太陽光を反射するライトシェルフ１５を設け、居室の奥まで太陽光を導き、居室内を明るくする方法が提案されている。
【先行技術文献】
【特許文献】
【０００４】
【特許文献１】特開２００５−８５７３０号公報
【特許文献２】特開２０００−１６２５４１号公報
【発明の概要】
【発明が解決しようとする課題】
【０００５】
しかし、太陽光の照射角度によっては室内への太陽光を取り込むことが難しかった。特に、１階開口部の上側に２階部分からせり出すバルコニーが設けられている場合には、バルコニー自身が太陽光の取り込みの妨げとなり、より一層１階居室への太陽光の取り込みを困難なものとしていた。
【０００６】
また、隣地に建物の開口部から十分な間隔を確保することなく建物が建てられた場合には、隣地に建てられた建物により、１階へ太陽光の取込みが妨げられ、１階の居室には十分な太陽光を取り込むことが難しかった。特に、建物の敷地と建ぺい率の制限から、建物の開口部から４ｍ程度の間隔しか確保できずに隣地に建物が建てられるケースが多く、１階の居室に十分な太陽光が取込めないといったケースが多かった。
【０００７】
また、ライトシェルフを利用した場合でも、隣地の建物の状況やバルコニーの設置の有無等により、十分な採光効果を得ることが難しく、またライトシェルフそのものが、室内への直射光の取り込みの妨げの原因となるなどライトシェルフの利用にも課題が多かった。
【０００８】
本発明は、以上のような問題点に鑑み、太陽光の照射角度に影響を受けることなく、建物の開口部の上階にバルコニーを有していたり、隣地に建物などの遮蔽物があったりしても、１階の居室内に太陽光を取り込むことができる採光装置を提供することを課題とする。
【課題を解決するための手段】
【０００９】
上記の課題は、建物の開口部を有する壁面の屋外側に、太陽光を透過拡散する光透過拡散板が、開口部の上方側に垂直に取り付けられ、太陽光が前記光透過拡散板を通して屋内へ取り込まれることを特徴とする採光装置により解決される。
【００１０】
この採光装置は、建物の開口部を有する壁面の屋外側に、太陽光を透過拡散する光透過拡散板が、開口部の上方側に垂直に取り付けられており、光透過拡散板に入射した太陽光が屈折して、光透過拡散板を通して屋内へ取り込まれるようになされているので、太陽光の照射角度に影響を受けることなく、建物の開口部の上階にバルコニーを有していたり、隣地に建物などの遮蔽物があったりしても、１階の居室内に太陽光を取り込むことができる。
【００１１】
上記採光装置において、採光装置が、開口部を有する階の上階に設けられたバルコニー底面部に取り付けられているとよい。
【００１２】
太陽光を１階の居室内への太陽光の取り込みを制限してしまう開口部を有する階の上階に設けられたバルコニーを利用して、採光装置を開口部の上方側に垂直に取り付けることにより、１階の居室内へ太陽光を取り込むことができ、太陽光を１階の居室内への太陽光の取り込みを制限するバルコニーを有しながら、１階の居室内へ太陽光を取り込むことができる。また、既設の建物であっても、採光装置の取り付けのために、建物に架台等を新たに設置する必要がなく、既設のバルコニーを利用して採光装置を取り付けることができる。
【００１３】
また、バルコニー底面部に取り付けられた採光装置が折り畳み可能であると、季節や時間による太陽光の照射角度にあわせて、採光装置の利用を選択することができ、最適な太陽光の取り込みを実現することができる。
【００１４】
さらに、光透過拡散板の屋内側が鋸刃状となっているとよい。
【００１５】
光透過拡散板の屋内側を鋸刃状とすることで、屋外側から取り込んだ太陽光が、光透過拡散板の屋内側の鋸刃で多段階的に屈折されて、太陽光を居室の内のより奥側まで取り込むことができる。
【００１６】
また、光透過拡散板の屋内側に光を透過する平板が設けられていると、光透過拡散板の屋内側の鋸刃上の凹凸が平板でカバーされるので、光透過拡散板の鋸刃に埃等が溜まったり、汚れたりするのを防止することができ、汚れやすい屋外に設置される採光装置でありながら、メンテナンスの手間を削減することができる。  
【発明の効果】
【００１７】
本発明は以上のとおりであるから、本採光装置によって、太陽光の照射角度に影響を受けることなく、建物の開口部の上階にバルコニーを有していたり、隣地に建物などの遮蔽物があったりしても、１階の居室内に太陽光を取り込むことができる。
【図面の簡単な説明】
【００１８】
【図１】図（イ）は本発明の実施形態である採光装置を示す断面側面図、図（ロ）は採光装置の建物への取り付け状況を示す斜視図、図（ハ）は採光装置の光透過拡散板部を示す拡大断面側面図、図（ニ）は、光透過拡散板を閉じた状態を示す断面側面図である。
【図２】図２は採光装置の建物への取り付け状況を示す断面図である。
【図３】図（イ）は採光装置を用いて太陽光を取り込む状況を示す断面側面図、図（ロ）は採光装置を有しない建物が太陽光を取り込む状況を示す断面側面図である。
【図４】従来技術のライトシェルフを用いた建物の太陽光の取り込み状況を示す断面側面図である。
【発明を実施するための形態】
【００１９】
次に、本発明の実施形態を図面に基づいて説明する。
【００２０】
図１に示す本発明の実施形態である採光装置１は、２階建ての建物の２階居室７の屋外に２階居室７に連続して設けられたバルコニー１２の底面部１２ａに取り付けられた折込み式の光透過拡散板２からなる。光透過拡散板２は、バルコニーの屋外側端部の底面部にヒンジ５を介して、ヒンジ５廻りに回動可能に取り付けられ、光透過拡散板２のバルコニー幅方向の両端部に設けられた中央部の屈曲用の支点と両端部に回動用の支点を有する保持具６，６により保持されている。中央部の屈曲用の支点と両端部に回動用の支点を有する保持具６，６により採光装置１は、バルコニー１２下端部から垂直に垂れ下がる開き状態から、図１（ニ）に示すように、バルコニー１２底面部に沿って水平になる折り畳み状態とに切換え可能となっている。
【００２１】
図１（ハ）に示すように、光透過拡散板２は建物への取り付け状態で建物に対して屋外側となる一方の面は平面状であり、屋内側となるもう一方の面は、上側から下側に順次、山と谷が順次繰り返す鋸刃状となっている。また、光透過拡散板２の屋外側には光を透過する平板３がスペーサ４を介して設けられている。なお、光透過拡散板２及び平板３は、光を透過し拡散するものであればなんでもよく、例えば、アクリル板などの樹脂材であってもよいし、ガラスなどの窯業系材料であってもよいし、それ以外のもの、またいずれかの組み合わせからなるものであってもよい。また、その製造方法に制限はない。
【００２２】
図２（イ）に示すように、例えば本実施例では、建物の外壁面より３０００ｍｍ離れた位置に隣地境界線１３があり、隣地境界線１３より１１００ｍｍ離れた位置に隣地の建物１４が建っており、ＧＬからＦＬまで４００ｍｍ、１階フロアレベルより高さ２０００ｍｍの開口部９が設けられ、１階垂壁１０つまり開口部上端部よりバルコニー底面部まで４００ｍｍとなっている。バルコニーのはね出し寸法が１０００ｍｍの場合、採光装置の光透過拡散板のバルコニー底面部からの垂れ下がり長さは４５０ｍｍ程度であれば、採光装置によって効果的に太陽光を建物の１階居室８へ取り込むことができる。なお、隣地の建物の軒高６３００ｍｍとなっている。
【００２３】
図３（イ）に示すように、バルコニー１２の屋外側端部の底面部に本採光装置１を取りつけた場合、採光装置１による光の拡散により、太陽光の照射角度が高く、バルコニーがせりだし、また隣地と境界が接する太陽光を取り込みにくい状況でも、１階居室内に太陽光を導くことがでる。一方、図３（ロ）に示すように、本採光措置１を取り付けない場合には、バルコニー１２及び隣地に太陽光の入射を遮られて、ほとんど１階居室内に光を取り込むことができず、また、太陽光を取り込むことができるのも、年間を通じて一部の期間だけとなる。
【００２４】
以上に、本発明の実施形態を示したが、本発明はこれに限られるものではなく、発明思想を逸脱しない範囲で各種の変更が可能である。例えば、上記の実施形態では、採光装置をバルコニーの屋外側端部の底面部に取り付けた場合について示したが、バルコニーではなく壁面に取り付けた設置架台や庇に取り付けてもよい。また、光透過拡散板の高さや厚みに制限はなく、建物の形状や敷地条件、建設地域における日照条件等を考慮して、設定されればよいのはいうまでもない。
【００２５】
また、上記の実施形態では、２階の居室の屋外にバルコニーがある場合に、１階の居室に太陽光を取り込む場合について示したが、３階の居室の屋外にバルコニーがある場合に、２階の居室に太陽光を取り込む場合や、さらに上層階についても適用できるのはいうまでもない。
【符号の説明】
【００２６】
１・・・採光装置
２・・・光透過拡散板
３・・・平板
４・・・スペーサ
５・・・ヒンジ
６・・・保持具
７・・・２階居室
８・・・１階居室
９・・・開口部
１０・・・垂壁
１２・・・バルコニー
１３・・・隣地境界線
１４・・・隣地の建物
【図１】
2011163065.tif 000003
【図２】
2011163065.tif 000004
【図３】
2011163065.tif 000005
【図４】
2011163065.tif 000006